(57)【要約】      （修正有）【課題】各種の充電設備または電子設備と接続でき、その中から必要な電力またはデータを取得できるＵＳＢマルチアダプタ装置を提供する。【解決手段】ＵＳＢマルチアダプタ装置は、一つの設備判別モジュールＡと一つのモード判別モジュールＣを含んでなり、設備判別モジュールが少なくとも一つのＵＳＢコネクタオスＢと少なくとも一つのＵＳＢコネクタメス又は両者を有し、差動信号に根拠して電子設備の種類を判別し、且つ電子設備と通信でき、モード判別モジュールが設備判別モジュールに接続し、電子装置が充電モード又は通信モードであるかどうかを判定でき、少なくとも一つの電子設備が充電し或いは相互に伝送するように用いられる。【選択図】図１
0003190208.tif 000002
【実用新案登録請求の範囲】
【請求項１】
USBマルチアダプタ装置は、電子設備のUSBコネクタオスとノートパソコン，デスクトップパソコン又はソケットのUSBコネクタメスを接続するために用いられる装置であって、一つの設備判別モジュールと一つのモード判別モジュールを含んでなり、設備判別モジュールが少なくとも一つのUSBコネクタオス及び／又は少なくとも一つのUSBコネクタメスを有し、差動信号に根拠して電子設備の種類を判別し、且つ電子設備と通信でき、更にモード判別モジュールが前述の設備判別モジュールと接続し、電子装置が充電モード又は通信モードであるかどうかを判定でき、少なくとも一つの電子設備が充電し或いは相互に伝送するように用いられ、これにより、異なるUSB充電アダプタを同時に接続でき、そして異なる各種の電子設備に適用して充電設備と電子設備と接続でき、これにより、その中から必要な電力またはデータを取得できることを特徴とする、USBマルチアダプタ装置。
【請求項２】
一つの制御モジュールを更に含んでなり、ユーザーが電子設備の充電モード又は通信モードを切り替えるために用いられることを特徴とする、請求項1に記載のUSBマルチアダプタ装置。
【請求項３】
該制御モジュールの制御方式は、タッチ制御、音声制御、スイッチと押しボタンの中の何れか及びその組合せであってもよいことを特徴とする、請求項2に記載のUSBマルチアダプタ装置。
【請求項４】
該制御モジュールが、一つのタッチスクリーンを更に含んでなることを特徴とする、請求項2に記載のUSBマルチアダプタ装置。
【請求項５】
一つの格納ユニットを更に含んでなり、該電子設備のデータを該格納ユニットへ伝送するために用いられることを特徴とする、請求項1に記載のUSBマルチアダプタ装置。
【請求項６】
一つの格納ユニットを更に内蔵または外接してもよいことを特徴とする、請求項1に記載のUSBマルチアダプタ装置。
【請求項７】
該少なくとも一つのUSBコネクタオス及び／又は少なくとも一つのUSBコネクタメスが、取り外し可能，折りたたみ可能，伸長可能，内縮可能と一体成型の中の何れか及びその組合せであってもよいことを特徴とする、請求項1に記載のUSBマルチアダプタ装置。
【考案の詳細な説明】
【技術分野】
【０００１】
本考案は、電子製品のアダプタに関するもので、特に設備判別モジュールにより、差動信号に根拠して充電モード又は通信モードにて電子設備と通信し、特殊な電子設備が本考案を介して既存の電子設備を簡易に接続でき、そして便利かつ快速な充電および伝送の目的を達成できるユニバーサル・シリアル・バス(Universal Serial Bus；以下にUSBと略称) USBマルチアダプタ装置に関するものである。
【背景技術】
【０００２】
電子製品が日々に進歩して月々に変更し、伝統的なデスクトップパソコンから今まで進化し、既に数多くの前例のないポータブル電子製品が現れる。今日では、電子製品の要求する要点は、高性能以外に、ユーザーがポータブルにて携帯して行動できる利便性および高度な多用途性を、更に有し、異なる属性の各種の電子製品を整合し、複雑から簡素化し、ユーザーが電子製品を運用し且つ楽しむと同時に、他の追加的な負担を減少できるものである。
【０００３】
然しながら、数多くの電子製品、例えばIPAD又はIPOD等は、その充電器が但し特殊な規格で、元来の業者により設計された充電器を経由して電子製品と既存のソケットを接続して充電できる必要があり、他の汎用規格の電子製品または充電器と接続できず、ユーザーが或る電子製品を使用する度に、一種類の充電器を携帯すべきで、確実にユーザーに携帯の不便なトラブルを及ぼすことを招き、且つ充電条件の制限状況をも生成する。
【０００４】
従ってどのように数多くの電子設備へ共用・充電の目的のアダプタを提供するのは、本考案者が熱心に解決しようとする課題である。
【考案の概要】
【０００５】
以前の充電製品の不完備に鑑み、本考案者は、長時間かけて継続的に研究・開発し、ついにこのように装置判別モジュールを介して差動データ・ラインに根拠して充電モードの電子設備と通信でき、これにより、USBを有する電子設備または充電設備と接続し、便利かつ快速な充電，伝送の目的を達成できることを、研究・開発する。
【０００６】
本考案のUSBマルチアダプタ装置は、電子設備のUSBコネクタオスとノートパソコン，デスクトップパソコン又はソケットのUSBコネクタメスを接続するために用いられる装置であって、一つの設備判別モジュールと一つのモード判別モジュールを含んでなり、設備判別モジュールが少なくとも一つのUSBコネクタオスと少なくとも一つのUSBコネクタメス又は両者を有し、差動信号に根拠して電子設備の種類を判別し、且つ電子設備と通信でき、モード判別モジュールが前述の設備判別モジュールに接続し、電子装置が充電モード又は通信モードであるかどうかを判定でき、少なくとも一つの電子設備が充電し或いは相互に伝送するように用いられる。
【０００７】
本考案の主要な目的は、このような電気回路構造により、異なるUSB充電アダプタを同時に接続でき、そして異なる各種のスマートフォン，タブレットPC，運転記録器，パーソナルナビゲーションデバイスの電子設備に適用して充電設備または電子設備と接続でき、これにより、その中から必要な電力またはデータを取得でき、ひいては便利で快速かつ簡単な充電，データ伝送の目的を達成できることにある。
【０００８】
本考案のUSBマルチアダプタ装置を介し、IPAD又はIPODなどの製品が、元来の特殊な規格の充電器以外に、アダプタを介して更に必要な電力をも簡単に取得でき、ユーザーがこのような種類の電子製品をより限定できない。
【図面の簡単な説明】
【０００９】
【図１】本考案のUSBマルチアダプタ装置の電気回路ブロック図である。
【考案を実施するための形態】
【００１０】
図1を参照するが、本考案のUSBマルチアダプタ装置は、電子設備のUSBコネクタオスとノートパソコン，デスクトップパソコン又はソケットのUSBコネクタメスを接続するために用いられる装置であって、一つの設備判別モジュールAと一つのモード判別モジュールCを含んでなり、設備判別モジュールAが少なくとも一つのUSBコネクタオスBと少なくとも一つのUSBコネクタメス又は両者を有し、差動信号（即ちD+とD-）に根拠して電子設備の種類を判別し、且つ電子設備と通信でき、モード判別モジュールCが前述の設備判別モジュールに接続し、電子装置が充電モード又は通信モードであるかどうかを判定でき、少なくとも一つの電子設備が充電し或いは相互に伝送するように用いられ、このような電気回路構造により、異なるUSB充電アダプタを同時に接続でき、そして異なる各種のスマートフォン，タブレットPC，運転記録器，パーソナルナビゲーションデバイスの電子設備などに適用して充電設備または電子設備と接続でき、これにより、その中から必要な電力またはデータを取得でき、ひいては便利で快速かつ簡単な充電，データ伝送の目的を達成できる。
【００１１】
その中でも、本考案のUSBマルチアダプタ装置は、一つの制御モジュールを増加でき、ユーザーが電子設備の充電モード又は通信モードを切り替えるために用いられるが、該制御モジュールの制御方式が、タッチ制御，音声制御，スイッチと押しボタンの前述の一種ないし多種類であってもよく、且つタッチスクリーンを更に含んでもよい。
【００１２】
その中でも、本考案のUSBマルチアダプタ装置は、一つの格納ユニットを増加でき、電子設備のデータをこの格納ユニットへ伝送するために用いられる。
【００１３】
その中でも、本考案のUSBマルチアダプタ装置は、一つの格納ユニット（例えばフラッシュメモリ格納装置）を内蔵または外接してもよい。
【００１４】
その中でも、本考案のUSBマルチアダプタ装置は、その少なくとも一つのUSBコネクタオスと少なくとも一つのUSBコネクタメス又は両者が、取り外し可能，折りたたみ可能，伸長可能，内縮可能または一体成型のの前述の一種ないし多種類であってもよい。
【００１５】
本考案のUSBマルチアダプタ装置は、複数種の電子設備、例えばスマートフォン，タブレットPC，運転記録器，パーソナルナビゲーションデバイス等に応用でき、特定の電子設備に限定されない。
【００１６】
ただ以上の叙述は、より好ましい実施例により本考案を詳しく説明するだけであるが、然しながら該実施例に対して実施される任意の修正および変更、例えば電子設備の種類，アダプタのスタイル，嵌入設備判別モジュールの数量とモード判別モジュールの数量などの変更が、何れも本考案の精神および範囲を逸脱しない。
【図１】
0003190208.tif 000003